(57)【要約】【課題】トレーニングの意欲を継続的に持ち続け易いトレーニング装置を提供する。【解決手段】トレーニング装置１は、人の上肢または下肢により往復運動させる動作部１０と、動作部１０の往復運動を回転子３１に伝達し回転子を回転させる伝達部２０、回転子の回転により発電する発電機３０、及び、発電機で発生した電流を整流する整流部４０を備える発電装置５と、発電装置で発電された電力を蓄電する蓄電部６と、発電装置で発電された電力及び時間を計測し、電力量を演算すると共に、電力量を化石燃料の消費によって得る場合に排出される二酸化炭素量を演算し、電力量及び二酸化炭素量をモニタ８１に出力する処理装置７とを具備する。【選択図】図１
0003143209.tif 000002
【実用新案登録請求の範囲】
【請求項１】
人の上肢または下肢により往復運動させる動作部と、
該動作部の往復運動を回転子に伝達し該回転子を回転させる伝達部、前記回転子の回転により発電する発電部、及び、該発電部で発生した電流を整流する整流部を備える発電装置と、
該発電装置で発電された電力を蓄電する蓄電部と、
前記発電装置で発電された電力及び時間を計測し、電力量を演算すると共に、該電力量を化石燃料の消費によって得る場合に排出される二酸化炭素量を演算し、前記電力量及び前記二酸化炭素量を出力部に出力する処理装置と
を具備することを特徴とするトレーニング装置。
【請求項２】
前記動作部は、
一対の把手部、及び、
一対の該把手部に両端がそれぞれ固定され一対の前記把手部の離隔接近により伸縮する線状弾性体を備え、
前記伝達部は、
一対の前記把手部の一方に支持され前記回転子と一体的に回転する回転軸部、
該回転軸部に一端が固定されて前記回転軸部に巻回されていると共に、、他端が一対の前記把手部の他方に固定され、一対の前記把手部の離隔によって前記回転軸部への巻回が解かれることにより前記回転軸部を回転させる紐状部材、及び、
該紐状部材が前記回転軸部に巻回される回転方向に前記回転軸部を付勢している付勢部材を備える
ことを特徴とする請求項１に記載のトレーニング装置。
【請求項３】
前記動作部は、床面または地面に載置される基盤、及び、該基盤に対して略垂直な垂直軸によって往復回転自在に前記基盤に支持された回転盤を備え、
前記伝達部は、前記回転子と一体的に回転する回転体、及び、該回転体に前記回転盤の回転を伝達するベルトまたはチェーンを備える
ことを特徴とする請求項１に記載のトレーニング装置。
【考案の詳細な説明】
【技術分野】
【０００１】
本考案は、トレーニング装置に関するものであり、特に、人の上肢または下肢により往復運動させる動作部分を有するトレーニング装置に関するものである。
【背景技術】
【０００２】
健康の維持や増進のために、各種のトレーニング器具及び装置が使用されている。例えば、自転車をこぐように下肢でペダルを回転させるエアロバイク、電動で回転するベルト上でランニングまたはウォーキング動作を行うトレッドミル、上下動するペダルで足踏み運動を行うステッパ等である。これらのトレーニング器具及び装置には、使用の目安とされると共にトレーニングの意欲を高めることを意図して、使用時間、走行距離、消費エネルギー等が表示される設計となっているものもある。
【考案の開示】
【考案が解決しようとする課題】
【０００３】
しかしながら、実際には、健康のためにと発起してトレーニングを開始しても、しばらくすると飽きたり億劫になったりすることも多く、トレーニングの意欲を継続的に持ち続けることは難しいものであった。
【０００４】
そこで、本考案は、上記の実情に鑑み、トレーニングの意欲を継続的に持ち続け易いトレーニング装置の提供を課題とするものである。
【課題を解決するための手段】
【０００５】
上記の課題を解決するため、本考案に係るレーニング装置は、「人の上肢または下肢により往復運動させる動作部と、該動作部の往復運動を回転子に伝達し該回転子を回転させる伝達部、前記回転子の回転により発電する発電部、及び、該発電部で発生した電流を整流する整流部を備える発電装置と、該発電装置で発電された電力を蓄電する蓄電部と、前記発電装置で発電された電力及び時間を計測し、電力量を演算すると共に、該電力量を化石燃料の消費によって得る場合に排出される二酸化炭素量を演算し、前記電力量及び前記二酸化炭素量を出力部に出力する処理装置とを」具備している。
【０００６】
動作部の「往復運動」は、直線的な往復運動であっても、回転による往復運動（揺動）であっても良い。
【０００７】
「回転子の回転により発電する発電部」は、電磁誘導により起電力を生じさせるものであり、回転子としての導体が磁界中で回転するものであっても、回転子としての磁石が電界中で回転するものであっても良い。また、「発電部及び整流部」は、「整流部」としての整流子を備えた直流発電機によって構成させることも、「発電部」としての交流発電機と「整流部」としての整流回路によって構成させることもできる。なお、動作部の往復運動により回転子の回転方向が反転する場合は、発生する電流の向きを整流する整流回路を設けることができる。或いは、ラチェット機構などを伝達部に設けることにより、回転子の回転方向を一方向に規制するもできる。
【０００８】
「蓄電部」には、蓄電池（バッテリー）、或いは、蓄電器（コンデンサー）を使用することができる。
【０００９】
「処理装置」は、電力を計測する電力計または電流計及び電圧計、時間を計測するタイマ、及び、予め記憶させたプログラムや入力された設定値に基づき演算や処理を行うマイクロプロセッサを備える構成とすることができる。また、「該電力量を化石燃料の消費によって得る場合に排出される二酸化炭素量」は、石炭や重油を燃焼させて火力発電する際の熱効率等のデータに基づいて、予め計算式を定めておくことにより演算することができる。「出力部」は、モニタやプリンタで構成させることができる。
【００１０】
上記の構成により、本考案によれば、トレーニングによる運動エネルギーを電気エネルギーに変換し、変換された電気エネルギーを蓄電部に蓄えておくことができる。これにより、従来は“エネルギー（カロリー）を消費する”イメージであったトレーニングを、“エネルギーを生産する”行為として捉えることができ、トレーニングを行う励みとなる。また、蓄電部に蓄えておいた電気エネルギーは、生活の中で種々に使用することができるため、省エネルギーにも資するものとなる。
【００１１】
また、近年では、地球温暖化の防止のために二酸化炭素排出量の削減に対して強い社会的要請があるところ、本考案ではトレーニングにより発電した電力量と同等の電力量を、化石燃料の消費によって発電した場合に排出される二酸化炭素量が演算されて出力される。すなわち、トレーニングを行うことによって削減できた二酸化炭素排出量を、数値によって確認することができる。これにより、トレーニングが単に自分自身のためだけに行う行為ではなく、僅かずつであっても地球環境のために貢献できる行為であるという意識を持つことができる。
【００１２】
以上のように、本考案のトレーニング装置によれば、トレーニングに対する動機付けが多様化され、モチベーションを高めることができるため、トレーニングの意欲を継続的に持ち続け易いものとなる。
【００１３】
更に、本考案のトレーニング装置は、発電をしつつ蓄電できる構成であるので、発電させずに単にトレーニングを行う場合に比べて動作部に負荷がかかる。これにより、効率的に身体を鍛錬することができる。
【００１４】
本考案に係るレーニング装置は、「前記動作部は、一対の把手部、及び、一対の該把手部に両端がそれぞれ固定され一対の前記把手部の離隔接近により伸縮する線状弾性体を備え、前記伝達部は、一対の前記把手部の一方に支持され前記回転子と一体的に回転する回転軸部、該回転軸部に一端が固定されて前記回転軸部に巻回されていると共に、他端が一対の前記把手部の他方に固定され、一対の前記把手部の離隔によって前記回転軸部への巻回が解かれることにより前記回転軸部を回転させる紐状部材、及び、該紐状部材が前記回転軸部に巻回される回転方向に前記回転軸部を付勢している付勢部材を備える」ものとすることができる。
【００１５】
「線状弾性体」としては、ゴムチューブ、ゴムベルト、ゴム紐、コイルスプリングを例示することができる。また、「紐状部材」としては、金属ワイヤ、化学繊維製ワイヤ等、伸縮性の乏しい紐状の部材を使用することができる。
【００１６】
「付勢部材」は、例えば、一端が回転軸部に固定されていると共に他端が把手部に固定された渦巻きバネを用いることができる。
【００１７】
上記構成の本考案は、いわゆるエキスパンダー型のトレーニング装置である。この装置では、線状弾性体を引張り一対の把手部を離隔させると、回転軸部に巻回されていた紐状部材が引き出されて巻回が解かれると共に回転軸部が回転し、これに伴い発電部の回転子が回転して発電する。そして、線状弾性体を引張る力を緩めると、線状弾性体の復元力によって一対の把手部が接近すると同時に、付勢部材の付勢により紐状部材が回転軸部に巻き戻される。この繰り返しにより、発電をしながらトレーニングを行うことができる。
【００１８】
また、上記のエキスパンダー型のトレーニング装置は、小さなスペースでトレーニングを行うことができ、大きな設置空間を占めて場所ふさぎとなるエアロバイクやトレッドミル等とは異なり、使用していない時に場所をとらないという利点も有している。
【００１９】
本考案に係るレーニング装置は、「前記動作部は、床面または地面に載置される基盤、及び、該基盤に対して略垂直な垂直軸によって往復回転自在に前記基盤に支持された回転盤を備え、前記伝達部は、前記回転子と一体的に回転する回転体、及び、該回転体に前記回転盤の回転を伝達するベルトまたはチェーンを備える」ものとすることができる。
【００２０】
伝達部に「ベルト」を用いる場合は、回転体及び円盤状の回転盤の側周面にベルトを保持する溝を設け、プーリ状の構成とすることができる。このとき、溝を断面Ｖ字状にすると共にＶベルトを用いることにより、摩擦が大となってベルトが滑りにくく、回転を効率良く伝達することができる。或いは、歯付きのベルトを使用すると共に回転体及び円盤状の回転盤を歯車状とすることにより、ベルトが歯車と噛合して滑らず、より確実に回転を伝達することができる。一方、伝達部に「チェーン」を用いる場合は、回転体及び円盤状の回転盤の側周面にチェーンと噛合する爪部を設け、スプロケット状の構成とすることができる。なお、回転盤自体をプーリ状或いはスプロケット状とする場合に限定されず、垂直軸の軸心周りに回転盤と一体的に回転する円盤を設け、この円盤をプーリ状或いはスプロケット状の構成とすることができる。この場合は、回転盤の形状は円盤状に限定されないものとなる。
【００２１】
上記構成の本考案は、いわゆるツイスト盤型のトレーニング装置である。この装置では、回転盤の上面に足裏を載せ回転盤上に起立した状態で、下半身と上半身とを異なる方向に回転させるツイスト運動を行うことにより、回転盤が回転往復運動する。そして、この運動がベルトまたはチェーンによって回転体に伝達され、発電部の回転子が回転することにより発電する。これにより、発電しながらトレーニングを行うことができる。
【００２２】
また、上記のツイスト盤型のトレーニング装置は、小さなスペースでトレーニングを行うことができ、使用していない時に場所をとらないという利点も有している。
【考案の効果】
【００２３】
以上のように、本考案によれば、トレーニングの意欲を継続的に持ち続け易いトレーニング装置を提供することができる。
【考案を実施するための最良の形態】
【００２４】
以下、本考案の第一実施形態であるトレーニング装置について、図１に基づいて説明する。ここで、図１は第一実施形態のトレーニング装置の構成図である。なお、図１では、電気エネルギーの流れを実線の矢印で、信号の流れを一点鎖線の矢印で図示している。
【００２５】
本実施形態のトレーニング装置１は、人の上肢または下肢により往復運動させる動作部１０と、動作部１０の往復運動を回転子３１に伝達し回転子３１を回転させる伝達部２０、回転子３１の回転により発電する発電部３０、及び、発電部３０で発生した電流を整流する整流部４０を備える発電装置５と、発電装置５で発電された電力を蓄電する蓄電部６と、発電装置５で発電された電力及び時間を計測し、電力量を演算すると共に、相当する電力量を化石燃料の消費によって得る場合に排出される二酸化炭素量を演算し、電力量及び二酸化炭素量を出力部に出力する処理装置７とを具備している。また、動作部１０は、一対の把手部、及び、一対の把手部に両端がそれぞれ固定され一対の把手部の離隔接近により伸縮する線状弾性体１５を備え、伝達部２０は、一対の把手部の一方に支持され回転子３１と一体的に回転する回転軸部２１、回転軸部２１に一端が固定されて回転軸部２１に巻回されていると共に、他端が一対の把手部の他方に固定され、一対の把手部の離隔によって回転軸部２１への巻回が解かれることにより回転軸部２１を回転させる紐状部材２５、及び、紐状部材２５が回転軸部２１に巻回される回転方向に回転軸部２１を付勢している付勢部材２８を備えている。
【００２６】
より詳細に説明すると、一対の把手部（第一把手部１１及び第二把手部１２）は共に環状に形成されており、それぞれ対向する辺に複数の貫通孔部１９が設けられ、ここに線状弾性体１５の端部が挿通された上で固定されている。また、本実施形態では、線状弾性体１５としてゴムチューブを用いている。
【００２７】
第一把手部１１には、環状に囲まれた空間に収まる小型の交流式の発電機３０が取り付けられている。ここで、本実施形態の発電機３０が本発明の発電部に相当する。また、第一把手部１１には、環の内方に向けて短い丸棒状の支持軸２３が突設されている。更に、回転軸部２１は円筒状に形成されており、一端が発電機３０の回転子３１に固定されていると供に、他端側に支持軸２３を挿通させることによって、回転子３１と一体的に回転自在に第一把手部１１に支持されている。また、筒状の回転軸部２１の内部には、コイル径が一端から他端に向けて拡大する渦巻きバネが収容されており、その小径側の端部が支持軸２３に固定されていると共に、大径側の端部が回転軸部２１の内壁に固定されている。これにより、回転軸部２１の一方向への回転に伴って渦巻きバネが巻き締められ、回転軸部２１を他方向への回転に付勢する。ここで、渦巻きバネが本発明の付勢部材２８に相当する。
【００２８】
複数の線状弾性体１５の略中央の一本には、紐状部材２５としての金属ワイヤが挿通されており、その一端は第二把手部１２に固定されていると共に、他端側が回転軸部２１に巻回された上で端部が回転軸部２１に固定されている。
【００２９】
また、本実施形態の第一把手部１１では、使用者が把手部を握り込んだ際に、指が発電機３０、回転軸部２１、紐状部材２５等に当接することを防止するために、環状に囲まれる空間を仕切る仕切部１３が設けられている。なお、発電機３０や回転軸部２１等が収められた空間を、保護カバーで被覆しても良い。
【００３０】
本実施形態の整流部４０は、ダイオードを用いた整流回路である。また、蓄電部６にはコンデンサーを使用している。加えて、本実施形態では、発電装置５で発電された電力を蓄電部６に蓄え、或いは、蓄電部６に蓄えられた電力を外部出力端子８９を介して外部に供給する切替えを行う切替部８を備えている。また、切替部８と外部出力端子８９との間には、直流を交流に変換するＤＣ／ＡＣ変換部９１及び電圧値の調整を行う電圧調整部９２を有する変換調整部９が設けられており、変換調整部９に入力された直流電流を、直流のまま電圧調整部９２を経て外部に出力することも、ＤＣ／ＡＣ変換部９１で交流に変換してから電圧調整部９２を経て外部に出力することも可能な構成となっている。
【００３１】
処理装置７は、電力メータ６１、タイマ６２、及び、マイクロプロセッサで構成される演算処理部７０を具備し、演算処理部７０は、電力量演算手段７１、二酸化炭素量演算手段７２、消費エネルギー演算手段７３、及び、表示制御手段７４を備えている。なお、電力メータ６１として、タイマ６２が組み込まれていると共に、電力量演算手段７１として機能する演算回路を備えた電力メータを使用することもできる。
【００３２】
また、本実施形態では、出力部として液晶表示を行うモニタ８１を使用している。なお、モニタ８１は把手部１１，１２の何れかに取り付けても良いが、把手部１１，１２とは距離的に離れた構成とすれば、トレーニングをしながらモニタを見易く好適である。また、蓄電部６や処理装置７等も、ケーシングに格納する等により発電機３０とは電気的に接続させつつ把手部１１，１２とは距離的に離れている構成とすることができる。
【００３３】
次に、本実施形態のトレーニング装置１の使用方法、及び、トレーニング装置１における動作及び処理について説明する。本装置でトレーニングをするに当たっては、使用者はまず切替部８を操作し、発電装置５から出力される電力が蓄電部６に供給される方向に切替えておく。そして、線状弾性体１５の付勢に抗して一対の把手部を離隔させる。なお、第一把手部１１は発電機３０等を具備することによって第二把手部１２より重いため、片方の手で第一把手部１１を動かさないように保持し、もう片方の手で第二把手部１２を把持し引張ると良い。或いは、足のつま先を第一把手部１１に通し体重をかけて動かないように保持し、片手または両手で第二把手部１２を把持して引張っても良い。
【００３４】
かかる動作により第一把手部１１及び第二把手部１２が離隔すると、紐状部材２５が引き出され回転軸部２１周りの巻回が解かれることにより、回転軸部２１が回転する。これに伴い、回転軸部２１と一体的に発電機３０の回転子３１が回転し、発電する。また、紐状部材２５の巻回が解かれつつ回転軸部２１が回転する際に、渦巻きバネが巻き締められる。これにより、回転軸部２１は渦巻きバネによって、反対の回転方向に付勢される。
【００３５】
そして、線状弾性体１５の付勢に抗して引張っていた力を弱めると、線状弾性体１５の復元力によって第一把手部１１及び第二把手部１２が接近する。これと同時に、渦巻きバネの付勢により回転軸部２１が反対方向に回転し、紐状部材２５は再び回転軸部２１に巻き戻される。これに伴い、回転軸部２１と一体的に発電機３０の回転子３１が回転し、発電する。このときに発生する電流は、紐状部材２５の巻回が解かれつつ回転軸部２１が回転する際に発生する電流とは向きが反対であるが、整流回路によって向きが一定の直流に整流される。
【００３６】
従って、線状弾性体１５の付勢に抗して第一把手部１１及び第二把手部１２を互いに離隔するように引張り、また引張る力を緩める動作を繰り返すことにより、腕や胸等の筋肉を鍛錬するトレーニングを行うことができると共に、発電装置５で発電され、発電された電力は蓄電部６に蓄えられる。
【００３７】
一方、発電装置５から出力される電流及び電圧は、電力メータ６１によって常時計測され、計測結果は電力量演算手段７１に送出される。電力量演算手段７１では、受信した電流値及び電圧値と、タイマ６２によって計測されている時間に基づき電力量を演算する。このとき、トレーニング開始時からの電力量を積算することも、一定の時間間隔で電力量を算出することもできる。
【００３８】
電力量演算手段７１によって演算された電力量は、二酸化炭素量演算手段７２、消費エネルギー演算手段７３、及び、表示制御手段７４に送出される。二酸化炭素量演算手段７２では、受信した電力量に相当する電力量を、重油を燃焼させて行う火力発電によって得る場合に排出される二酸化炭素量を、予め記憶させたプログラムに基づいて演算し、その結果を表示制御手段７４に送出する。また、消費エネルギー演算手段７３では、電力量演算手段７１で演算された電力量から、予め記憶させたプログラムに基づいて使用者がトレーニングによって消費したエネルギーを演算し、その結果を表示制御手段７４に送出する。そして、表示制御手段７４では、受信した電力量、二酸化炭素量、及び、消費エネルギーをモニタ８１に表示させる。従って、使用者は、トレーニングの成果を電力量、二酸化炭素量、及び、消費エネルギーの各数値としてモニタ８１で確認しながら、トレーニングを行うことができる。
【００３９】
蓄電部６にある程度の電力が蓄えられれば、切替部８の切替えにより、外部出力端子８９を介して外部に出力することができる。このとき、変換調整部９のＤＣ／ＡＣ変換部９１を介して出力させることにより、直流として蓄えられた電力を交流電源として使用することができる。或いは、携帯電話の充電を行う場合等、ＤＣ／ＡＣ変換部９１を介することなく直流のまま出力することもできる。加えて、電圧調整部９２の設定により、外部への出力電圧を調整することができる。
【００４０】
上記では、発電装置５で発電した電力をいったん蓄電部６に蓄えてから外部に出力する場合を例示したが、切替部８の切り替えを、発電装置５から出力される電力が変換調整部９に入力する方向にしてトレーニングすることにより、発電した電力を遂次的に外部に出力することも可能である。なお、モニタ８１は外部電源から電力が供給される構成でも良いが、発電装置５から出力された電力を外部出力端子８９を介してモニタ８１に供給することもできる。
【００４１】
次に、第二実施形態のトレーニング装置について、図２乃至図４を用いて説明する。ここで、図２は、第二実施形態のトレーニング装置の構成図であり、図３は図２のトレーニング装置の外観を示す斜視図であり、図４は図３について垂直軸及び回転子の軸心を通る直線に沿って切断した縦断面図である。
【００４２】
第二実施形態のトレーニング装置２は、人の上肢または下肢により往復運動させる動作部１１０と、動作部１１０の往復運動を回転子１３１に伝達し回転子１３１を回転させる伝達部１２０、回転子１３１の回転により発電する発電機１３０、及び、発電機１３０で発生した電流を整流する整流部４０を備える発電装置１０５と、発電装置１０５で発電された電力を蓄電する蓄電部６と、発電装置１０５で発電された電力及び時間を計測し、電力量を演算すると共に、相当する電力量を化石燃料の消費によって得る場合に排出される二酸化炭素量を演算し、電力量及び二酸化炭素量を出力部に出力する処理装置７とを具備している。また、動作部１１０は、床面または地面に載置される基盤１１１、及び、基盤１１に対して略垂直な垂直軸１１５によって往復回転自在に前記基盤１１１に支持された回転盤１１７を備え、伝達部１２０は、回転子１３１と一体的に回転する回転体１２１、及び、回転体１２１に回転盤１１１の回転を伝達するベルト１２５を備えている。
【００４３】
ここで、第二実施形態のトレーニング装置２が第一実施形態のトレーニング装置１と相違する点は、動作部１１０及び伝達部１２０の構成である。そこで、以下では、動作部１１０及び伝達部１２０について詳細に説明することとし、その他の構成については説明を省略する。
【００４４】
基盤１１１は、平面視略矩形に形成されており、回転盤１１７よりやや大きな平面積を有する凹部１１２が形成されている。また、回転盤１１７は円盤状で、凹部１１２の略中央に回転自在に垂設された垂直軸１１５によって基盤１１１に支持されており、垂直軸１１５の軸心周りに垂直軸１１５と一体的に回転する構成とされている。また、回転盤１１７の裏面には、回転盤１１７より小径で、かつ垂直軸１１５の軸心周りに回転盤１１７と一体的に回転する回転体１１８が設けられている。
【００４５】
加えて、基盤１１１には部分的に内部空間が形成され、その内部空間に発電部としての発電機１３０が収容されている。本実施形態では、第一実施形態と同様に交流式の発電機１３０を使用しており、発電機１３０には、回転子１３１と一体的に回転する回転体１２１が設けられている。なお、基盤１１１の内部空間には、蓄電部６や処理装置７等の他の構成を収容することとしても良い。また、基盤１１１の上面に透明な窓部を設け、内部空間に収容されたモニタの表示を使用者が視認できる構成とすることもできる。
【００４６】
回転体１１８の側周面及び回転体１２１の側周面には、一本の環状のベルト１２５がピンと張った状態で掛け回されている。なお、ベルト１２５に代替してチェーンを使用することもでき、その場合は回転体１１８の側周面及び回転体１２１の側周面に、チェーンと噛合する爪部を設けることができる。
【００４７】
次に、第二実施形態のトレーニング装置２の使用方法、トレーニング装置２における動作及び処理について説明する。まず、基盤１１１を平らな床面または地面に載置し、回転盤１１７の上面に使用者の両足の足裏を載せる。これにより、使用者は回転盤１１７上に起立した姿勢となる。この状態で、使用者の下半身及び上半身を異なる方向に回転させる運動、すなわち、ツイスト運動をすると、回転盤１１７は基盤１１１に対して回転往復運動する。これに伴い、回転盤１１７と一体的に回転体１１８も回転往復運動する。
【００４８】
そして、回転体１１８の側周面に掛け回されたベルト１２５によって、回転体１１８の運動が回転体１２１に伝達され、回転体１２１が回転体１１８と同じ方向に回転往復運動する。これにより、回転体１２１と一体的に回転子１３１が回転往復運動し、発電機１３０で発電する。このとき、回転子１３１の回転方向が反転する度に発生する電流の向きが反転することとなるが、第一実施形態と同様に整流部４０によって整流される。
【００４９】
従って、回転盤１１７の上でツイスト運動を繰り返すことにより、背筋や脇等の筋肉を鍛錬するトレーニングを行うことができると共に、発電装置１０５で発電することができ、発電された電力を蓄電部６に蓄えることができる。以下、電気エネルギーの流れ及び処理装置７における処理は、第一実施形態と同様である。
【００５０】
以上のように、第一実施形態及び第二実施形態のトレーニング装置１，２によれば、トレーニングによる運動エネルギーを電気エネルギーに変換し、変換された電気エネルギーを蓄電部６に蓄えておくことができる。これにより、トレーニングを生産的な行為として捉えることができると共に、健康のためのトレーニングが省エネルギーにも資するものとなる。また、トレーニング装置１，２では、トレーニングにより削減できた二酸化炭素排出量をモニタ８１で確認できるため、自分自身のためのトレーニングで地球環境にも貢献できるという意識を持つことができる。
【００５１】
従って、トレーニング装置１，２によれば、トレーニングに対する動機付けが多様化され、モチベーションを高めることができるため、トレーニングの意欲を継続的に持ち続けることができる。
【００５２】
加えて、トレーニング装置１，２では、発電装置５，１０５で発電する際に発電機３０，１３０の回転子３１，１３１の回転に対して抵抗が生じる。そのため、伝達部２０，１２０を介して回転子３１，１３１を回転させる動作部１０，１１０に負荷がかかる。これにより、負荷がかかった状態でトレーニングすることとなり、効率的に身体を鍛錬することができる。
【００５３】
また、第一実施形態のトレーニング装置１はエキスパンダー型であり、第二実施形態のトレーニング装置２はツイスト盤型であるため、共に小さなスペースでトレーニングを行うことができ、不使用時にも場所をとらないという利点を有している。
【００５４】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００５５】
例えば、上記の実施形態では、発電された電力量に基づいて消費エネルギーを演算する場合を例示したが、これに限定されない。例えば、動作部の往復運動の回数をカウントする構成を更に備えるものとし、カウントされた回数に基づいて消費エネルギーを演算する構成とすることもできる。また、使用者の年齢、性別、身長、体重などを入力可能な入力部を更に備えるものとし、入力された情報を使用して消費エネルギーを演算する構成とすることもできる。更には、使用者の心拍数を計測する構成を更に備えるものとし、計測された心拍数が電力量等の演算結果と共にモニタに表示される構成とすることもできる。
【００５６】
また、上記では、出力部としてモニタを備える場合を例示したが、これに限定されず、演算結果がプリンタから出力される構成、或いは、モニタに表示されると共にプリンタからも出力される構成とすることができる。
【００５７】
加えて、第二実施形態では、使用者の両足を一つの回転盤１１７に載せてツイスト運動する場合を例示したが、これに限定されない。例えば、図５に示すように、二つの回転盤１１７Ｌ，１１７Ｒを備え、回転盤１１７Ｌ，１１７Ｒの回転往復運動がそれぞれ回転体１１８Ｌ，１１８Ｒ、ベルト１２５Ｌ，１２５Ｒ、及び回転体１２１Ｌ，１２１Ｒを介して、発電機１３０Ｌ，１３０Ｒの回転子１３１Ｌ，１３１Ｒに伝達される構成とすることができる。
【図面の簡単な説明】
【００５８】
【図１】第一実施形態のトレーニング装置の構成図である。
【図２】第二実施形態のトレーニング装置の構成図である。
【図３】図２のトレーニング装置の外観を示す斜視図である。
【図４】図３について垂直軸及び回転子の軸心を通る直線に沿って切断した縦断面図である。
【図５】他の実施形態の構成を説明する平面図である。
【符号の説明】
【００５９】
１，２  トレーニング装置
５，１０５  発電装置
６  蓄電部
７  処理装置
１０，１１０  動作部
１１  第一把手部（動作部）
１２  第二把手部（動作部）
１５  線状弾性体（動作部）
２０，１２０  伝達部
２１  回転軸部（伝達部）
２５  紐状部材（伝達部）
２８  付勢部材（伝達部）
３０，１３０  発電機（発電部）
３１，１３１  回転子
４０  整流部
１１１  基盤（動作部）
１１５  垂直軸（動作部）
１１７，１１７Ｌ，１１７Ｒ  回転盤（動作部）
１２１，１２１Ｌ，１２１Ｒ  回転体（伝達部）
１２５，１２５Ｌ，１２５Ｒ  ベルト（伝達部）
【図１】
0003143209.tif 000003
【図２】
0003143209.tif 000004
【図３】
0003143209.tif 000005
【図４】
0003143209.tif 000006
【図５】
0003143209.tif 000007